(57)【要約】【課題】  ネットワークを介して投稿されたコンテンツのうち、管理者が公開を承認したコンテンツをネットワークを介して公開するコンテンツ公開システムおよびコンテンツ公開プログラムを提供する。【解決手段】  コンテンツ公開システム２００は、利用者が投稿したコンテンツを記憶する。管理者は、Ｗｅｂサービス管理者端末４００を操作してコンテンツを閲覧し、公開すべきか否かを決定する。コンテンツを公開すると決定すると、利用者によるコンテンツの閲覧を許可し、コンテンツを公開する。【選択図】  図１
2005025682.tif 000002
【特許請求の範囲】
【請求項１】
ネットワークを介して投稿されたコンテンツを公開するコンテンツ公開システムにおいて、
利用者が利用者端末によりネットワークを介して投稿したコンテンツを記憶手段に記憶させるコンテンツ登録手段と、
記憶手段が記憶しているコンテンツのうち、公開するコンテンツをコンテンツ公開システムの管理者の指示にもとづいて特定するコンテンツ公開承認登録手段と、
公開するコンテンツを利用者の要求に応じて記憶手段から抽出して利用者の通信端末に送信する公開コンテンツ抽出手段とを備えた
ことを特徴とするコンテンツ公開システム。
【請求項２】
記憶手段が記憶しているコンテンツのうち、管理者が公開を承認していないコンテンツを抽出し、抽出したコンテンツを前記管理者の通信端末に送信する未承認コンテンツ抽出手段を備えた
請求項１記載のコンテンツ公開システム。
【請求項３】
未承認コンテンツ抽出手段は、管理者の要求に応じて抽出したコンテンツの前記管理者の通信端末における表示形式を決定する
請求項２記載のコンテンツ公開システム。
【請求項４】
利用者がコンテンツを投稿すると、コンテンツが投稿されたことを管理者に通知するコンテンツ投稿実施通知手段を備えた
請求項１から請求項３のうちいずれか１項に記載のコンテンツ公開システム。
【請求項５】
コンテンツ登録手段は、コンテンツを記憶手段に記憶させる際に、コンテンツを特定する情報であるコンテンツＩＤ情報を生成し、
公開承認登録手段は、公開するコンテンツのコンテンツＩＤ情報をコンテンツと対応づけて記憶手段に記憶させ、
公開コンテンツ抽出手段は、利用者の要求に応じて、記憶手段がコンテンツＩＤ情報を記憶しているコンテンツを抽出して前記利用者の通信端末にコンテンツを送信する
請求項１から請求項４のうちいずれか１項に記載のコンテンツ公開システム。
【請求項６】
ネットワークを介して投稿されたコンテンツを公開するコンテンツ公開システムに搭載されるコンテンツ公開プログラムにおいて、
コンピュータに、
利用者が利用者端末によりネットワークを介して投稿したコンテンツを記憶装置に記憶させるコンテンツ登録処理と、
記憶装置が記憶しているコンテンツのうち、公開するコンテンツをコンテンツ公開システムの管理者の指示にもとづいて特定するコンテンツ公開承認登録処理と、
公開するコンテンツを利用者の要求に応じて記憶装置から抽出して利用者の通信端末に送信する公開コンテンツ抽出処理と、
記憶装置が記憶しているコンテンツのうち、前記管理者が公開を承認していないコンテンツを抽出し、抽出したコンテンツを前記管理者の通信端末に送信する未承認コンテンツ抽出処理と、
利用者がコンテンツを投稿すると、コンテンツが投稿されたことを前記管理者に通知するコンテンツ投稿実施通知処理とを実行させ、
未承認コンテンツ抽出処理は、前記管理者の要求に応じて抽出したコンテンツの前記管理者の通信端末における表示形式を決定し、
コンテンツ登録処理は、コンテンツを記憶装置に記憶させる際に、コンテンツを特定する情報であるコンテンツＩＤ情報を生成し、
公開承認登録処理は、公開するコンテンツのコンテンツＩＤ情報をコンテンツと対応づけて記憶装置に記憶させ、
公開コンテンツ抽出処理は、利用者の要求に応じて、記憶装置がコンテンツＩＤ情報を記憶しているコンテンツを抽出して前記利用者の通信端末にコンテンツを送信する
ことを特徴とするコンテンツ公開プログラム。
【発明の詳細な説明】
【技術分野】
【０００１】
本発明は、ネットワークを介して投稿されたコンテンツを公開するコンテンツ公開システムおよびコンテンツ公開プログラムに関する。
【背景技術】
【０００２】
従来のインターネット上の電子掲示板を実現しているコンテンツ投稿システムは、不特定多数の投稿者が投稿したコンテンツを即座に公開するため、コンテンツ投稿システムのサービス利用者は、公開されたコンテンツを即座に閲覧することが可能である。
【０００３】
しかし、そのようなシステムは、コンテンツの投稿者が不適切なコンテンツを投稿した場合であっても、サービス利用者にコンテンツを公開してしまう。例えば、他人を誹謗中傷するような不適切なコンテンツも公開してしまう。
【０００４】
そこで、電子掲示板を常に監視し、予め決められたキーワードと合致する用語を含むコンテンツが投稿されていた場合、そのコンテンツを削除する方法がある（例えば、特許文献１参照。）。
【０００５】
【特許文献１】特開２００２−３４２１４６号公報  （第５−１０頁、第１図）
【発明の開示】
【発明が解決しようとする課題】
【０００６】
しかし、特許文献１に記載された方法は、投稿者が、無意味なコンテンツを多量な投稿した場合には対応することができない。そのような場合、有意義なコンテンツが無意味なコンテンツに埋没してしまう。また、「０」と「○」や、「Ｘ」と「×」、「ー」と「−」、「あ」と「ぁ」等、コンテンツに用いる文字を置き換えられるとキーワードに合致しなくなるため、そのようなコンテンツは不適切であっても削除することができない。また、ＵＲＬを提示したリンク先の情報も、排除することができない。
【０００７】
そこで、本発明は、ネットワークを介して投稿されたコンテンツのうち、管理者が公開を承認したコンテンツをネットワークを介して公開するコンテンツ公開システムおよびコンテンツ公開プログラムを提供することを目的とする。
【課題を解決するための手段】
【０００８】
本発明によるコンテンツ公開システムは、ネットワークを介して投稿されたコンテンツを公開するコンテンツ公開システムであって、利用者が利用者端末によりネットワークを介して投稿したコンテンツを記憶手段に記憶させるコンテンツ登録手段と、記憶手段が記憶しているコンテンツのうち、公開するコンテンツをコンテンツ公開システムの管理者の指示にもとづいて特定するコンテンツ公開承認登録手段と、公開するコンテンツを利用者の要求に応じて記憶手段から抽出して利用者の通信端末に送信する公開コンテンツ抽出手段とを備えたことを特徴とする。
【０００９】
記憶手段が記憶しているコンテンツのうち、管理者が公開を承認していないコンテンツを抽出し、抽出したコンテンツを管理者の通信端末に送信する未承認コンテンツ抽出手段を備えてもよい。そのような構成によれば、Ｗｅｂサービスの管理者は、記憶手段が記憶しているコンテンツから、新たに投稿されたコンテンツのみを閲覧することができる。
【００１０】
未承認コンテンツ抽出手段は、管理者の要求に応じて抽出したコンテンツの管理者の通信端末における表示形式を決定してもよい。そのような構成によれば、管理者の要求に応じて管理者の通信端末に、コンテンツを一覧表示させたり、例えばコンテンツを１０件ずつ表示させたりすることができる。
【００１１】
利用者がコンテンツを投稿すると、コンテンツが投稿されたことを管理者に通知するコンテンツ投稿実施通知手段を備えてもよい。そのような構成によれば、Ｗｅｂサービスの管理者は、コンテンツ公開システムにアクセスすることなくコンテンツが投稿されたことを知ることができる。
【００１２】
コンテンツ登録手段は、コンテンツを記憶手段に記憶させる際に、コンテンツを特定する情報であるコンテンツＩＤ情報を生成してもよく、公開承認登録手段は、公開するコンテンツのコンテンツＩＤ情報をコンテンツと対応づけて記憶手段に記憶させてもよく、公開コンテンツ抽出手段は、利用者の要求に応じて、記憶手段がコンテンツＩＤ情報を記憶しているコンテンツを抽出して利用者の通信端末にコンテンツを送信してもよい。そのような構成によれば、記憶手段が記憶しているコンテンツＩＤ情報に対応づけられたコンテンツを抽出することにより、自動的に管理者が公開を承認したコンテンツを抽出することができる。
【００１３】
本発明によるコンテンツ公開プログラムは、ネットワークを介して投稿されたコンテンツを公開するコンテンツ公開システムに搭載されるコンテンツ公開プログラムにであって、コンピュータに、利用者が利用者端末によりネットワークを介して投稿したコンテンツを記憶装置に記憶させるコンテンツ登録処理と、記憶装置が記憶しているコンテンツのうち、公開するコンテンツをコンテンツ公開システムの管理者の指示にもとづいて特定するコンテンツ公開承認登録処理と、公開するコンテンツを利用者の要求に応じて記憶装置から抽出して利用者の通信端末に送信する公開コンテンツ抽出処理と、記憶装置が記憶しているコンテンツのうち、管理者が公開を承認していないコンテンツを抽出し、抽出したコンテンツを管理者の通信端末に送信する未承認コンテンツ抽出処理と、利用者がコンテンツを投稿すると、コンテンツが投稿されたことを管理者に通知するコンテンツ投稿実施通知処理とを実行させ、未承認コンテンツ抽出処理は、管理者の要求に応じて抽出したコンテンツの管理者の通信端末における表示形式を決定し、コンテンツ登録処理は、コンテンツを記憶装置に記憶させる際に、コンテンツを特定する情報であるコンテンツＩＤ情報を生成し、公開承認登録処理は、公開するコンテンツのコンテンツＩＤ情報をコンテンツと対応づけて記憶装置に記憶させ、公開コンテンツ抽出処理は、利用者の要求に応じて、記憶装置がコンテンツＩＤ情報を記憶しているコンテンツを抽出して利用者の通信端末にコンテンツを送信することを特徴とする。
【発明の効果】
【００１４】
本発明によれば、Ｗｅｂサービスの利用者から受信したコンテンツを公開するか否かの判断を管理者の指示にもとづいて行うため、公開するコンテンツとして不適切なコンテンツの公開を防ぐことができる。
【発明を実施するための最良の形態】
【００１５】
図面を参照して本発明によるコンテンツ公開システムの構成について説明する。図１は、本発明のコンテンツ公開システムの一構成例を示すブロック図である。
【００１６】
ネットワークを介して、投稿されたコンテンツを公開するサービスを含むＷｅｂサービスの利用者Ａが有する通信端末であるＷｅｂサービス利用者Ａ端末１００と、Ｗｅｂサービスの利用者Ｂが有する通信端末であるＷｅｂサービス利用者Ｂ端末５００と、Ｗｅｂサービスの管理者が有する通信端末であるＷｅｂサービス管理者端末４００とが、インターネット等の通信ネットワーク３００を介してＷｅｂサーバによって実現されるコンテンツ公開システム２００と接続されている。
【００１７】
本明細書において、Ｗｅｂサービスとは、Ｗｅｂページによって所定の情報を利用者に提供するサービスのことである。Ｗｅｂサービスとして、例えば、飲食店情報をＷｅｂページによって提供するサービスがある。一般に、飲食店情報のＷｅｂページには、過去に飲食店を訪れた利用者の感想などの投稿を表示するページや、感想などを投稿するために、情報を記入したり情報を添付したりするためのページが付随している。
【００１８】
コンテンツ公開システム２００は、Ｗｅｂサービスの利用者が投稿したコンテンツである投稿コンテンツと、投稿コンテンツを特定する情報である投稿コンテンツＩＤとを対応づけて記憶する投稿コンテンツデータベース（記憶手段）２４０と、Ｗｅｂサービス管理者が公開を承認したコンテンツに対応づけられた投稿コンテンツＩＤを記憶する公開承認データベース（記憶手段）２５０とを含む。
【００１９】
また、コンテンツ公開システム２００は、Ｗｅｂサービス利用者Ａ端末１００が送信したコンテンツを受信するコンテンツ投稿ページ入力部２１０と、コンテンツ投稿ページ入力部２１０で受信されたコンテンツを投稿コンテンツデータベース２４０に記憶させる投稿コンテンツ登録部（コンテンツ登録手段）２１１と、コンテンツが投稿されたことをＷｅｂサービス管理者に通知するコンテンツ投稿実施通知部（コンテンツ投稿実施通知手段）２１２とを含む。
【００２０】
さらに、コンテンツ公開システム２００は、投稿コンテンツデータベース２４０が記憶している投稿コンテンツからＷｅｂサービス管理者が公開を承認していない投稿コンテンツを抽出する公開未承認投稿コンテンツ抽出部（未承認コンテンツ抽出手段）２２１と、公開未承認投稿コンテンツ抽出部２２１が抽出したコンテンツを所定の形式のＷｅｂページに載せる処理を行う公開承認ページ処理部（未承認コンテンツ抽出手段）２２０と、Ｗｅｂサービス管理者が公開を承認した投稿コンテンツに対応づけられた投稿コンテンツＩＤを公開承認データベース２５０に記憶させる公開承認登録部（コンテンツ公開承認登録手段）２２２とを含む。
【００２１】
また、コンテンツ公開システム２００は、Ｗｅｂサービス管理者が公開を承認した投稿コンテンツを、Ｗｅｂサービス利用者の要求に応じて投稿コンテンツデータベース２４０から抽出する公開承認済み投稿コンテンツ抽出部（公開コンテンツ抽出手段）２３１と、公開承認済み投稿コンテンツ抽出部２３１が抽出したコンテンツを所定の形式のＷｅｂページに載せる処理を行う投稿コンテンツ公開ページ形成部２３０とを含む。
【００２２】
なお、コンテンツ公開システム２００は、Ｗｅｂサービスを提供するためのシステムに包含されたり、Ｗｅｂサービスを提供するためのシステムに付随するシステムとして実現される。
【００２３】
Ｗｅｂサービス管理者は、予め決められた公開承認基準にもとづいて、投稿コンテンツを公開するか否かを決定する。具体的には、Ｗｅｂサービス管理者が、公開承認基準に反する投稿コンテンツであると判断した投稿コンテンツは、公開しないと決定し、公開承認基準に反しない投稿コンテンツに対応づけられた投稿コンテンツＩＤを公開承認データベース２５０に記憶させる。
【００２４】
ここで、公開承認基準に反するコンテンツとは、例えば、不適切なコンテンツ（法律に違反するコンテンツ、個人の人権を侵害するコンテンツ、個人や団体等を誹謗中傷するコンテンツ等）や、悪意を持ったコンテンツ（無意味な多量のコンテンツ、同じ内容を多量に繰り返すコンテンツ、コンピュータウィルスに感染したコンテンツ、コンピュータウィルスに感染させるＷｅｂページへ誘導するコンテンツ、特定のＷｅｂサイトへ攻撃を仕掛けるコンテンツやその行為を誘導するコンテンツ等）等である。Ｗｅｂサービス管理者またはＷｅｂサービス管理者が所属する団体は公開承認基準を任意に定め、定めた公開承認基準を文書化して保持する。
【００２５】
投稿コンテンツは、ＨＴＭＬ（ＨｙｐｅｒＴｅｘｔ  Ｍａｒｋｕｐ  Ｌａｎｇｕａｇｅ）やＵＲＬ（Ｕｎｉｆｏｒｍ  Ｒｅｓｏｕｒｃｅ  Ｌｏｃａｔｏｒ）等を含むテキスト文書や、ＪＰＥＧ（Ｊｏｉｎｔ  Ｐｈｏｔｏｇｒａｐｈｉｃ  Ｅｘｐｅｒｔｓ  Ｇｒｏｕｐ）やＧＩＦ（Ｇｒａｐｈｉｃｓ  Ｉｎｔｅｒｃｈａｎｇｅ  Ｆｏｒｍａｔ）等の画像圧縮技術を用いた画像データや画像ファイル、無圧縮の画像データや画像ファイル、ＡＶＩ（Ａｕｄｉｏ  Ｖｉｄｅｏ  Ｉｎｔｅｒｌｅａｖｅｄ）ファイルやＭＰＥＧ（Ｍｏｖｉｎｇ  Ｐｉｃｔｕｒｅ  Ｅｘｐｅｒｔｓ  Ｇｒｏｕｐ）等の動画データや動画ファイル、文書作成ソフトウェアや表計算ソフトウェア、プレゼンテーションソフトウェア等のアプリケーションソフトウェアに用いるデータファイル等であり、これらのファイルを１つにまとめたアーカイブファイルや、これらのファイルを圧縮した圧縮ファイル等である。
【００２６】
投稿コンテンツ登録部２１１、コンテンツ投稿実施通知部２１２、公開承認ページ処理部２２０、公開未承認投稿コンテンツ抽出部２２１、公開承認登録部２２２、投稿コンテンツ公開ページ形成部２３０、公開承認済み投稿コンテンツ抽出部２３１は、例えば、ＷｅｂサーバのＣＰＵと、コンテンツ公開プログラムとで実現される。また、Ｗｅｂサーバは、投稿コンテンツデータベース２４０と、公開承認データベース２５０とを内蔵していてもよい。
【００２７】
本発明によるコンテンツ公開プログラムは、利用者が投稿したコンテンツを記憶装置に記憶させるコンテンツ登録処理と、記憶装置が記憶しているコンテンツのうち、公開するコンテンツをコンテンツ公開システムの管理者の指示にもとづいて特定するコンテンツ公開承認登録処理と、公開するコンテンツを利用者の要求に応じて記憶装置から抽出して利用者の通信端末に送信する公開コンテンツ抽出処理と、記憶装置が記憶しているコンテンツのうち、管理者が公開を承認していないコンテンツを抽出し、抽出したコンテンツを管理者の通信端末に送信する未承認コンテンツ抽出処理と、利用者がコンテンツを投稿すると、コンテンツが投稿されたことを管理者に通知するコンテンツ投稿実施通知処理とを実行させ、未承認コンテンツ抽出処理は、管理者の要求に応じて抽出したコンテンツの管理者の通信端末における表示形式を決定し、コンテンツ登録処理は、コンテンツを記憶装置に記憶させる際に、コンテンツを特定する情報であるコンテンツＩＤ情報を生成し、公開承認登録処理は、公開するコンテンツのコンテンツＩＤ情報をコンテンツと対応づけて記憶装置に記憶させ、公開コンテンツ抽出処理は、利用者の要求に応じて、記憶装置がコンテンツＩＤ情報を記憶しているコンテンツを抽出して利用者の通信端末にコンテンツを送信することを特徴とするコンテンツ公開プログラムを搭載する。
【００２８】
次に、本発明によるコンテンツ公開システムの動作について説明する。まず、Ｗｅｂサービスの利用者がコンテンツを投稿する場合の動作について説明する。Ｗｅｂサービス利用者Ａは、Ｗｅｂサービス利用者Ａ端末１００のブラウザを操作して、通信ネットワーク３００を介してコンテンツ公開システム２００を実現するＷｅｂサーバにアクセスし、投稿コンテンツを記入するためのＷｅｂページであるコンテンツ投稿ページをコンテンツ投稿ページ入力部２１０からダウンロードする（ステップＳ１０１、Ｓ１０２）。Ｗｅｂサービス利用者Ａは、ダウンロードしたコンテンツ投稿ページにコンテンツを記入して、ブラウザによって、コンテンツ投稿ページ入力部２１０に送信する（ステップＳ１０３、Ｓ１０４）。
【００２９】
投稿コンテンツ登録部２１１は、コンテンツ投稿ページ入力部２１０が受信したコンテンツが正しく存在しているか否かを判定する。コンテンツが正しく存在しているとは、例えば、コンテンツがテキスト文字の場合、文字が１文字以上存在していることであり、コンテンツがファイルの場合、そのファイルが存在していることである。投稿コンテンツ登録部２１１は、コンテンツが正しく存在していると判定すると、コンテンツを特定する情報である投稿コンテンツＩＤを生成し、受信したコンテンツと生成した投稿コンテンツＩＤとを対応づけて投稿コンテンツデータベース２４０に記憶させる（ステップＳ１０５）。
【００３０】
コンテンツ公開システム２００を実現するＷｅｂサーバは、データベースソフトウェアを搭載してもよい。データベースソフトウェアを搭載した場合に、データベースソフトウェアは、例えば、投稿コンテンツ登録部２１１、公開未承認投稿コンテンツ抽出部２２１、公開承認登録部２２２および公開承認済み投稿コンテンツ抽出部２３１と、投稿コンテンツデータベース２４０および公開承認データベース２５０との間の情報の入出力を仲介する。また、データベースソフトウェアが、投稿コンテンツ登録部２１１が投稿コンテンツデータベース２４０に投稿コンテンツを記憶させる際に投稿コンテンツＩＤを生成してもよいし、コンテンツ公開システム２００を実現するＷｅｂサーバが搭載するアプリケーションソフトウェアが投稿コンテンツＩＤを生成してもよい。
【００３１】
コンテンツ投稿実施通知部２１２は、通信ネットワーク３００を介してＷｅｂサービス管理者端末４００に電子メールを送信して、コンテンツが投稿されたことをＷｅｂサービス管理者に通知する（ステップＳ１０６）。Ｗｅｂサービス管理者は、電子メールによって、コンテンツが投稿されたことを知ることができる。コンテンツ投稿実施通知部２１２は、ポケットベル通信網を介してＷｅｂサービス管理者のポケットベルにコンテンツが投稿されたことを通知してもよいし、その他の通信手段を用いてＷｅｂサービス管理者に投稿されたことを通知してもよい。
【００３２】
Ｗｅｂサービス管理者は、コンテンツが投稿されたことを通知されるとＷｅｂサービス管理者端末４００を操作して、投稿されたコンテンツの抽出を公開承認ページ処理部２２０に、通信ネットワーク３００を介して要求する（ステップＳ１０７）。その要求は、公開承認ページ処理部２２０から公開未承認投稿コンテンツ抽出部２２１に伝達される。
【００３３】
すると、公開未承認コンテンツ抽出部２２１は、投稿コンテンツデータベース２４０と公開承認データベース２５０とを参照して、投稿コンテンツデータベース２４０が記憶している投稿コンテンツＩＤのうち、公開承認データベース２５０が記憶していない投稿コンテンツＩＤを特定し、特定した投稿コンテンツＩＤに対応づけられた投稿コンテンツを投稿コンテンツデータベース２４０から抽出する。そして、抽出した投稿コンテンツと投稿コンテンツＩＤとを公開承認ページ処理部２２０に出力する。公開承認ページ処理部２２０は、Ｗｅｂサービス管理者端末４００に表示させるＷｅｂページである公開承認ページに、抽出された投稿コンテンツと、抽出された投稿コンテンツに対応づけられた投稿コンテンツＩＤとを載せ、公開承認ページを、通信ネットワーク３００を介してＷｅｂサービス管理者端末４００に送信する（ステップＳ１０８）。
【００３４】
Ｗｅｂサービス管理者端末４００は、公開承認ページを受信すると、Ｗｅｂサービス管理者端末４００の表示手段（図示せず）に公開承認ページを表示させる。よって、表示手段には、投稿コンテンツと投稿コンテンツＩＤとが表示される。Ｗｅｂサービス管理者は、Ｗｅｂサービス管理者端末４００の表示手段に表示された投稿コンテンツを閲覧して、投稿コンテンツが公開承認基準に反しているか否かを判断する（ステップＳ１０９）。
【００３５】
なお、公開承認ページ処理部２２０は、投稿コンテンツの一覧をＷｅｂサービス管理者端末４００の表示画面に表示させることになる。例えば、Ｗｅｂサービス管理者端末４００の表示画面に、１０個の投稿コンテンツを表示させる。ここで、公開承認ページ処理部２２０は、投稿コンテンツの数が多い等の理由で投稿コンテンツの一覧が表示画面の複数のページに分かれた場合に、表示画面のページを進めたり、または戻したりする機能を有していてもよい。また、公開承認ページ処理部２２０は、投稿コンテンツの一覧をＷｅｂサービス管理者端末４００に表示させる場合、投稿されたタイミングが新しいコンテンツから順に表示させてもよい。
【００３６】
Ｗｅｂサービス管理者は、投稿コンテンツが公開承認基準に反していないと判断すると、Ｗｅｂサービス管理者端末４００を操作して通信ネットワーク３００を介して公開承認ページ処理部２２０に投稿コンテンツに対応づけられた投稿コンテンツＩＤを通知する（ステップＳ１１０）。投稿コンテンツＩＤは、公開承認登録部２２２に伝達される。すると、公開承認登録部２２２は、通知された投稿コンテンツＩＤを公開承認データベース２５０に記憶させる（ステップＳ１１１）。
【００３７】
次に、Ｗｅｂサービス利用者が投稿されたコンテンツを閲覧する場合の動作について説明する。Ｗｅｂサービス利用者Ｂが投稿コンテンツを閲覧する場合、Ｗｅｂサービス利用者Ｂは、Ｗｅｂサービス利用者Ｂ端末５００を操作して、投稿コンテンツ公開ページの格納場所を示すＵＲＬをＷｅｂブラウザに入力して投稿コンテンツ公開ページにアクセスする（ステップＳ１１２）。公開承認済み投稿コンテンツ抽出部２３１は、公開承認データベース２５０を参照して、Ｗｅｂサービス管理者が公開を承認した投稿コンテンツに対応づけられた投稿コンテンツＩＤを特定し、投稿コンテンツデータベース２４０から、特定した投稿コンテンツＩＤに対応づけられた投稿コンテンツを抽出する。そして、公開承認済み投稿コンテンツ抽出部２３１は、抽出した投稿コンテンツを投稿コンテンツ公開ページ形成部２３０に出力する。投稿コンテンツ公開ページ形成部２３０は、投稿コンテンツを所定の形式で表示したＷｅｂページ（投稿コンテンツ公開ページ）をＷｅｂサービス利用者Ｂ端末５００に送信する（ステップＳ１１３、Ｓ１１４）。
【００３８】
このとき、投稿コンテンツ公開ページ形成部２３０は、投稿コンテンツの一覧をＷｅｂサービス利用者Ｂ端末５００に表示させることになる。例えば、Ｗｅｂサービス利用者Ｂ端末５００の表示画面に、例えば１０個の投稿コンテンツを表示させる表示制御を行う。ここで、投稿コンテンツ公開ページ形成部２３０は、投稿コンテンツの数が多い等の理由で投稿コンテンツの一覧が表示画面の複数のページに分かれた場合に、表示するページを進めたり、または戻したりする機能を有していてもよい。また、投稿コンテンツ公開ページ形成部２３０は、投稿コンテンツの一覧をＷｅｂサービス利用者Ｂ端末５００に表示させる場合、投稿されたタイミングが新しいコンテンツから順に表示させてもよい。
【００３９】
この実施の形態では、Ｗｅｂサービス管理者が、投稿されたコンテンツの内容を公開前にチェックするので、悪意のある投稿者の行為が無駄になり、悪意にもとづくコンテンツの投稿が減少することが期待できる。また、コンテンツの投稿を減少させることをより効果的にするために、投稿コンテンツ公開ページ形成部２３０が、Ｗｅｂページに、「チェック」がかかる旨の表示を行ってもよい。
【００４０】
さらに、利用者が投稿コンテンツを送信する際に利用者に対して電子メールアドレスを要求し、Ｗｅｂサービス管理者が、Ｗｅｂサービス管理者端末４００を用いて、利用者に対して電子メールを送信し、電子メールが不達にならなかったときに、投稿コンテンツを公開可能にするようにしてもよい。
【産業上の利用可能性】
【００４１】
インターネット等のネットワークを介して投稿されたコンテンツを公開するコンテンツ公開システムにおいて、Ｗｅｂサービスの利用者から受信したコンテンツを公開するか否かの判断を管理者の指示にもとづいて行うので、不適切なコンテンツの公開を防ぐことができる。
【図面の簡単な説明】
【００４２】
【図１】本発明によるコンテンツ公開システムの一構成例を示すブロック図である。
【図２】本発明によるコンテンツ公開システムの動作を説明するシーケンス図である。
【符号の説明】
【００４３】
１００  Ｗｅｂサービス利用者Ａ端末
２００  コンテンツ公開システム
２１０  コンテンツ投稿ページ入力部
２１１  投稿コンテンツ登録部
２１２  コンテンツ投稿実施通知部
２２０  公開承認ページ処理部
２２１  公開未承認投稿コンテンツ抽出部
２２２  公開承認登録部
２３０  投稿コンテンツ公開ページ形成部
２３１  公開承認済み投稿コンテンツ抽出部
２４０  投稿コンテンツデータベース
２５０  公開承認データベース
３００  通信ネットワーク
４００  Ｗｅｂサービス管理者端末
５００  Ｗｅｂサービス利用者Ｂ端末
【図１】
2005025682.tif 000003
【図２】
2005025682.tif 000004